(57)【要約】      （修正有）【課題】ネットワーク外のデバイスからの無線印刷を行う方法。【解決手段】電子文書（ＥＤ）と関連付けられた印刷ジョブの一意識別子（ＵＩＤ）を含むグラフィカルコードを表示しているモバイルデバイスの画面を走査することにより、複合プリンタ（ＭＦＰ）によって画像を入手する工程と、前記印刷ジョブの前記ＵＩＤを前記ＭＦＰによって前記画像から抽出する工程と、前記印刷ジョブの前記ＵＩＤを、前記ＭＦＰ及び前記印刷サーバが動作可能に接続された第１のネットワークを介して、前記ＭＦＰから印刷サーバへと送信する工程と、前記ＵＩＤの送信に応答して、前記ＥＤと関連付けられた前記印刷ジョブを前記第１のネットワークを介して前記ＭＦＰにおいて受信する工程と、前記印刷ジョブの受信後、前記ＥＤのハードコピーを前記ＭＦＰによって印刷する工程と、を含む方法。【選択図】図１
2013093017.tif 000002
【特許請求の範囲】
【請求項１】
複合プリンタ（ＭＦＰ）を用いて電子文書（ＥＤ）を印刷する方法であって、
前記ＥＤと関連付けられた印刷ジョブの一意識別子（ＵＩＤ）を含むグラフィカルコードを表示しているモバイルデバイスの画面を走査することにより、前記ＭＦＰによって画像を入手する工程と、
前記印刷ジョブの前記ＵＩＤを前記ＭＦＰによって前記画像から抽出する工程と、
前記印刷ジョブの前記ＵＩＤを、前記ＭＦＰ及び前記印刷サーバが動作可能に接続された第１のネットワークを介して、前記ＭＦＰから印刷サーバへと送信する工程と、
前記ＵＩＤの送信に応答して、前記ＥＤと関連付けられた前記印刷ジョブを前記第１のネットワークを介して前記ＭＦＰにおいて受信する工程と、
前記印刷ジョブの受信後、前記ＥＤのハードコピーを前記ＭＦＰによって印刷する工程と、
を含むことを特徴とする方法。
【請求項２】
前記印刷ジョブのための前記ＵＩＤを前記モバイルデバイスによって生成する工程と、
前記モバイルデバイスから前記印刷ジョブを、前記モバイルデバイス及び前記印刷サーバが動作可能に接続された第２のネットワークを介して、前記印刷サーバへと送信する工程と、
をさらに含むことを特徴とする請求項１に記載の方法。
【請求項３】
前記第１のネットワークを介して前記ＵＩＤが受信されるのに応答して、前記ＭＦＰによってサポートされる印刷スキームを前記印刷サーバによって特定する工程と、
前記印刷ジョブを前記第１のネットワークを介して前記ＭＦＰへと送信する前に、前記印刷ジョブを前記印刷スキームと適合するように前記印刷サーバによって変更する工程と、
をさらに含むことを特徴とする請求項２に記載の方法。
【請求項４】
前記印刷ジョブを変更する工程は、複数のページ記述言語（ＰＤＬ）コマンドを生成する工程を含むことを特徴とする請求項３に記載の方法。
【請求項５】
複数のＥＤから選択されたＥＤを前記モバイルデバイスのユーザから前記モバイルデバイスによって入手する工程をさらに含み、
前記複数のＥＤは、前記印刷サーバ上に記憶された複数の印刷ジョブに対応し、
前記ＥＤは、複数のユーザからアクセス可能な形態であり、
前記選択されたＥＤに応答して、前記ＧＵＩＤが前記モバイルデバイスの前記画面上に表示されることを特徴とする請求項１に記載の方法。
【請求項６】
前記グラフィカルコードは２次元バーコードであり、前記ＵＩＤは、前記ＥＤの名称及び前記ＥＤの生成タイムスタンプを含むことを特徴とする請求項１に記載の方法。
【請求項７】
電子文書（ＥＤ）と関連付けられた印刷ジョブを管理する方法であって、
前記ＥＤと関連付けられた前記印刷ジョブを、モバイルデバイスから印刷サーバによって、前記印刷サーバ及び前記モバイルデバイスが動作可能に接続された第１のネットワークを介して入手する工程であって、
前記印刷ジョブは、前記モバイルデバイスによって生成された一意識別子（ＵＩＤ）に対応する、工程と、
前記ＵＩＤを複合プリンタ（ＭＦＰ）から、前記印刷サーバ及び前記ＭＦＰが動作可能に接続された第２のネットワークを介して前記印刷サーバによって入手する工程であって、
前記ＭＦＰは、前記ＵＩＤを画像から抽出し、前記画像は、前記ＵＩＤを含むグラフィカルコードを表示する前記モバイルデバイスの画面を走査することにより生成される、工程と、
前記ＭＦＰから前記ＵＩＤが入手されるのに応答して、前記ＥＤと関連付けられた前記印刷ジョブを前記第２のネットワークを介して前記ＭＦＰへと送信する工程であって、
前記ＭＦＰは前記ＥＤを印刷する、工程と、
を含むことを特徴とする方法。
【請求項８】
前記ＭＦＰのための前記ＵＩＤの入手に応答して、前記ＭＦＰによってサポートされる印刷スキームを前記プリンタサーバによって特定する工程と、
前記印刷ジョブを前記第２のネットワークを介して前記ＭＦＰへ送信する前に、前記印刷ジョブを前記印刷スキームに適合するように前記印刷サーバによって変更する工程と、
をさらに含むことを特徴とする請求項７に記載の方法。
【請求項９】
前記ＭＦＰからの前記ＵＩＤの入手に応答して、前記モバイルデバイスのユーザと関連付けられた印刷アカウントを特定する工程と、
前記ＭＦＰからの前記ＵＩＤの入手後に、前記印刷アカウントの印刷統計値を変更する工程と、
をさらに含むことを特徴とする請求項７に記載の方法。
【請求項１０】
前記グラフィカルコードは２次元バーコードであり、前記ＵＩＤは、前記ＥＤの名称及び前記ＥＤの生成タイムスタンプからなる群から選択された少なくとも１つを含むことを特徴とする請求項７に記載の方法。
【請求項１１】
前記印刷ジョブを前記第１のネットワークを介して前記モバイルデバイスから入手する前に、前記印刷サーバは、前記ＵＩＤを前記第２のネットワークを介して前記ＭＦＰから入手することを特徴とする請求項７に記載の方法。
【請求項１２】
固定型のコンピュータで読み出し可能な記憶媒体であって、前記記憶媒体は、複合プリンタ（ＭＦＰ）を用いて電子文書（ＥＤ）を印刷せよとの命令を記憶し、前記命令は、
前記ＥＤと関連付けられた印刷ジョブの一意識別子（ＵＩＤ）を含むグラフィカルコードを表示しているモバイルデバイスの画面を走査することによって、前記ＭＦＰを用いて画像を入手する機能と、
前記印刷ジョブの前記ＵＩＤを前記ＭＦＰによって前記画像から抽出する機能と、
前記印刷ジョブの前記ＵＩＤを、前記ＭＦＰ及び前記印刷サーバが動作可能に接続された第１のネットワークを介して、前記ＭＦＰから印刷サーバへと送信する機能と、
前記ＵＩＤの送信に応答して、前記ＥＤと関連付けられた前記印刷ジョブを前記第１のネットワークを介して前記ＭＦＰにおいて受信する機能と、
前記印刷ジョブの受信後、前記ＥＤのハードコピーを前記ＭＦＰによって印刷する機能と、
を含むことを特徴とする固定型のコンピュータで読み出し可能な記憶媒体。
【請求項１３】
前記ＵＩＤ及び前記グラフィカルコードは前記モバイルデバイスによって生成され、前記モバイルデバイスは、前記モバイルデバイス及び前記印刷サーバが動作可能に接続された第２のネットワークを用いて前記印刷ジョブを前記印刷サーバへと送信することを特徴とする、請求項１２に記載の固定型のコンピュータで読み出し可能な記憶媒体。
【請求項１４】
前記印刷サーバは、前記ＭＦＰによってサポートされた印刷スキームを特定し、前記印刷サーバは、前記印刷ジョブを前記印刷スキームと適合するように変更することを特徴とする、請求項１２に記載の固定型のコンピュータで読み出し可能な記憶媒体。
【請求項１５】
電子文書（ＥＤ）と関連付けられた印刷ジョブを管理せよとの命令を記憶する、固定型のコンピュータで読み出し可能な記憶媒体であって、前記命令は、
前記ＥＤと関連付けられた前記印刷ジョブを印刷サーバを用いてモバイルデバイスから、前記印刷サーバ及び前記モバイルデバイスが動作可能に接続された第１のネットワークを介して入手する機能であって、
前記印刷ジョブは、前記モバイルデバイスによって生成された一意識別子（ＵＩＤ）に対応する、機能と、
前記印刷サーバを用いて複合プリンタ（ＭＦＰ）から前記ＵＩＤを、前記印刷サーバ及び前記ＭＦＰが動作可能に接続された第２のネットワークを介して入手する機能であって、
前記ＭＦＰは、前記ＵＩＤを画像から抽出し、前記画像は、前記ＵＩＤを含むグラフィカルコードを表示する前記モバイルデバイスの画面を走査することによって生成される、機能と、
前記ＭＦＰから前記ＵＩＤが入手されるのに応答して、前記ＥＤと関連付けられた前記印刷ジョブを前記第２のネットワークを介して前記ＭＦＰへと送信する機能であって、
前記ＭＦＰは前記ＥＤを印刷する、機能と、
を含むことを特徴とする固定型のコンピュータで読み出し可能な媒体。
【請求項１６】
前記命令は、
前記プリンタサーバを用いて、前記ＭＦＰによってサポートされた印刷スキームを特定する機能と、
前記印刷ジョブを前記第２のネットワークを介して前記ＭＦＰへと送信する前に、前記印刷サーバを用いて、前記印刷ジョブを前記印刷スキームと適合するように変更する機能と、
をさらにを含むことを特徴とする請求項１５に記載の固定型のコンピュータで読み出し可能な記憶媒体。
【請求項１７】
電子文書（ＥＤ）と関連付けられた印刷ジョブを印刷するためのシステムであって、
画面を含むモバイルデバイスであって、グラフィカルコードを表示するように構成され、前記グラフィカルコードは、前記画面上の前記印刷ジョブに対応する一意識別子を含む、モバイルデバイスと、
前記画面を走査することによって画像を生成し、前記ＵＩＤを前記画像から抽出するように構成された複合プリンタ（ＭＦＰ）と、
前記ＵＩＤを第１のネットワークを介して前記ＭＦＰから受信するように構成された印刷サーバであって、前記印刷サーバは、前記ＵＩＤの受信に応答して、前記印刷ジョブを前記第１のネットワークを介して前記ＭＦＰへと送信する、印刷サーバと、
を含み、
前記ＭＦＰは、前記印刷サーバから前記印刷ジョブを受信した後に前記ＥＤを印刷することを特徴とするシステム。
【請求項１８】
前記モバイルデバイスは、前記印刷ジョブ及び前記ＵＩＤを、前記モバイルデバイス及び前記印刷サーバが動作可能に接続された第２のネットワークを介して前記ＭＦＰへと送信するようにさらに構成されることを特徴とする請求項１７に記載のシステム。
【請求項１９】
前記第１のネットワークはセキュアなネットワークであり、前記第２のネットワークは公的無線ネットワークであることを特徴とする請求項１８に記載のシステム。
【請求項２０】
前記印刷サーバは、前記ＭＦＰによってサポートされた印刷スキームを特定し、かつ、前記印刷ジョブを前記ＭＦＰへと送る前に、前記印刷ジョブを前記印刷スキームと適合するように変更するようにさらに構成されることを特徴とする請求項１８に記載のシステム。
【請求項２１】
前記グラフィカルコードは２次元バーコードであり、前記ＵＩＤは、前記ＥＤの名称及び前記ＥＤの生成タイムスタンプからなる群から選択された少なくとも１つを含むことを特徴とする請求項１７に記載のシステム。
【発明の詳細な説明】
【技術分野】
【０００１】
本発明は、ネットワーク外のデバイスからの無線印刷に関する。
【背景技術】
【０００２】
複合プリンタ（ＭＦＰ）は、設置面積の小型化のために複数のデバイスの機能を１つにまとめた機器である。ＭＦＰは典型的には、小型ビジネス設定及び大型ビジネス設定において集中型の文書管理、分配及び生成を可能にする。さらに、ＭＦＰは、ビジネスのセキュアなネットワーク内の（すなわち、前記ネットワークを介してアクセス可能な）ハードウェアデバイスであり得、プリンタ、スキャナ、コピー機、ファックス及び／又はｅメールデバイスの組み合わせとして機能し得る。
【発明の概要】
【発明が解決しようとする課題】
【０００３】
あらゆるサイズ及び処理速度のモバイルデバイスが、ますます利用可能となってきている。これらのモバイルデバイスは、例えば、電子文書（ＥＤ）の入手及び／又は生成のためのソフトウェアアプリケーションといった、多様なソフトウェアアプリケーションを実行する。モバイルデバイスの画面上においてＥＤが視認可能な場合であっても、ユーザは、前記ＥＤのハードコピーをモバイルデバイスから印刷することも望んでいる。しかし、これらのプリンタは、モバイルデバイスとは異なるネットワーク上に配置されている場合があり、かつ／又は、プリンタの識別情報がユーザ又はモバイルデバイスに知られていない場合がある。
【課題を解決するための手段】
【０００４】
本発明の一側面は、複合プリンタ（ＭＦＰ）を用いて電子文書（ＥＤ）を印刷する方法であって、
前記ＥＤと関連付けられた印刷ジョブの一意識別子（ＵＩＤ）を含むグラフィカルコードを表示しているモバイルデバイスの画面を走査することにより、前記ＭＦＰによって画像を入手する工程と、
前記印刷ジョブの前記ＵＩＤを前記ＭＦＰによって前記画像から抽出する工程と、
前記印刷ジョブの前記ＵＩＤを、前記ＭＦＰ及び前記印刷サーバが動作可能に接続された第１のネットワークを介して、前記ＭＦＰから印刷サーバへと送信する工程と、
前記ＵＩＤの送信に応答して、前記ＥＤと関連付けられた前記印刷ジョブを前記第１のネットワークを介して前記ＭＦＰにおいて受信する工程と、
前記印刷ジョブの受信後、前記ＥＤのハードコピーを前記ＭＦＰによって印刷する工程と、
を含むことを特徴とする方法に関する。
【０００５】
本発明の一側面は、電子文書（ＥＤ）と関連付けられた印刷ジョブを管理する方法であって、
前記ＥＤと関連付けられた前記印刷ジョブを、モバイルデバイスから印刷サーバによって、前記印刷サーバ及び前記モバイルデバイスが動作可能に接続された第１のネットワークを介して入手する工程であって、
前記印刷ジョブは、前記モバイルデバイスによって生成された一意識別子（ＵＩＤ）に対応する、工程と、
前記ＵＩＤを複合プリンタ（ＭＦＰ）から、前記印刷サーバ及び前記ＭＦＰが動作可能に接続された第２のネットワークを介して前記印刷サーバによって入手する工程であって、
前記ＭＦＰは、前記ＵＩＤを画像から抽出し、前記画像は、前記ＵＩＤを含むグラフィカルコードを表示する前記モバイルデバイスの画面を走査することにより生成される、工程と、
前記ＭＦＰから前記ＵＩＤが入手されるのに応答して、前記ＥＤと関連付けられた前記印刷ジョブを前記第２のネットワークを介して前記ＭＦＰへと送信する工程であって、
前記ＭＦＰは前記ＥＤを印刷する、工程と、
を含むことを特徴とする方法に関する。
【０００６】
本発明の一側面は、固定型のコンピュータで読み出し可能な記憶媒体であって、前記記憶媒体は、複合プリンタ（ＭＦＰ）を用いて電子文書（ＥＤ）を印刷せよとの命令を記憶し、前記命令は、
前記ＥＤと関連付けられた印刷ジョブの一意識別子（ＵＩＤ）を含むグラフィカルコードを表示しているモバイルデバイスの画面を走査することによって、前記ＭＦＰを用いて画像を入手する機能と、
前記印刷ジョブの前記ＵＩＤを前記ＭＦＰによって前記画像から抽出する機能と、
前記印刷ジョブの前記ＵＩＤを、前記ＭＦＰ及び前記印刷サーバが動作可能に接続された第１のネットワークを介して、前記ＭＦＰから印刷サーバへと送信する機能と、
前記ＵＩＤの送信に応答して、前記ＥＤと関連付けられた前記印刷ジョブを前記第１のネットワークを介して前記ＭＦＰにおいて受信する機能と、
前記印刷ジョブの受信後、前記ＥＤのハードコピーを前記ＭＦＰによって印刷する機能と、
を含むことを特徴とする固定型のコンピュータで読み出し可能な記憶媒体に関する。
【０００７】
本発明の一側面は、電子文書（ＥＤ）と関連付けられた印刷ジョブを管理せよとの命令を記憶する、固定型のコンピュータで読み出し可能な記憶媒体であって、前記命令は、
前記ＥＤと関連付けられた前記印刷ジョブを印刷サーバを用いてモバイルデバイスから、前記印刷サーバ及び前記モバイルデバイスが動作可能に接続された第１のネットワークを介して入手する機能であって、
前記印刷ジョブは、前記モバイルデバイスによって生成された一意識別子（ＵＩＤ）に対応する、機能と、
前記印刷サーバを用いて複合プリンタ（ＭＦＰ）から前記ＵＩＤを、前記印刷サーバ及び前記ＭＦＰが動作可能に接続された第２のネットワークを介して入手する機能であって、
前記ＭＦＰは、前記ＵＩＤを画像から抽出し、前記画像は、前記ＵＩＤを含むグラフィカルコードを表示する前記モバイルデバイスの画面を走査することによって生成される、機能と、
前記ＭＦＰから前記ＵＩＤが入手されるのに応答して、前記ＥＤと関連付けられた前記印刷ジョブを前記第２のネットワークを介して前記ＭＦＰへと送信する機能であって、
前記ＭＦＰは前記ＥＤを印刷する、機能と、
を含むことを特徴とする固定型のコンピュータで読み出し可能な媒体に関する。
【０００８】
本発明の一側面は、電子文書（ＥＤ）と関連付けられた印刷ジョブを印刷するためのシステムであって、
画面を含むモバイルデバイスであって、グラフィカルコードを表示するように構成され、前記グラフィカルコードは、前記画面上の前記印刷ジョブに対応する一意識別子を含む、モバイルデバイスと、
前記画面を走査することによって画像を生成し、前記ＵＩＤを前記画像から抽出するように構成された複合プリンタ（ＭＦＰ）と、
前記ＵＩＤを第１のネットワークを介して前記ＭＦＰから受信するように構成された印刷サーバであって、前記印刷サーバは、前記ＵＩＤの受信に応答して、前記印刷ジョブを前記第１のネットワークを介して前記ＭＦＰへと送信する、印刷サーバと、
を含み、
前記ＭＦＰは、前記印刷サーバから前記印刷ジョブを受信した後に前記ＥＤを印刷することを特徴とするシステムに関する。
【０００９】
本発明の他の局面は、以下の記載及び添付の特許請求の範囲から明らかとなる。
【図面の簡単な説明】
【００１０】
【図１】本発明の１つ以上の実施形態によるシステムを示す。
【図２】本発明の１つ以上の実施形態によるフローチャートを示す。
【図３】本発明の１つ以上の実施形態による一例を示す。
【図４】本発明の１つ以上の実施形態によるコンピュータシステムを示す。
【発明を実施するための形態】
【００１１】
以下、本発明の特定の実施形態について、添付図面を参照しながら詳述する。多様な図面中、類似の要素は、一貫性のために類似の参照符号で示す。
【００１２】
以下の本発明の実施形態の詳細な説明において、本発明のより深い理解のために、本発明の多数の特定の詳細について説明する。しかし、本発明はこれらの特定の詳細無しに実施することも可能であることが当業者にとって明らかである。他の場合において、周知の特徴については、記載を複雑にしないために詳述を避ける。
【００１３】
一般的に、本発明の実施形態は、電子文書（ＥＤ）と関連付けられた印刷ジョブを印刷／管理するためのシステム及び方法を提供する。詳細には、モバイルデバイスは、当該印刷ジョブに対応する一意識別子（ＵＩＤ）を生成し、無線ネットワークを用いて当該印刷ジョブを前記ＵＩＤと共に印刷サーバへと送ることができる。前記モバイルデバイスは、ＵＩＤを含むグラフィカルコード（例えば、２次元（２Ｄ）コード、データグリフ）を生成及び表示することができる。その後、ＭＦＰは、前記グラフィカルコードを表示するモバイルデバイスの画面を走査することにより、前記グラフィカルコードを有する画像を入手することができる。前記画像から前記ＵＩＤを抽出した後、前記ＭＦＰは、前記無線ネットワークと異なるネットワークを用いて前記ＵＩＤを前記印刷サーバへと送り得る。前記印刷サーバは、前記ＭＦＰから受信された前記ＵＩＤに基づいて前記印刷ジョブを特定し、前記印刷ジョブを前記ＭＦＰへと送る。前記印刷サーバは、前記ＭＦＰによってサポートされている印刷スキームに適合するように前記印刷ジョブを変更することができる。
【００１４】
図１は、本発明の１つ以上の実施形態によるシステム（１００）を示す。図１に示すように、システム（１００）は、１つ以上のモバイルデバイス（例えば、モバイルデバイスＮ（１０１）、モバイルデバイスＭ（１０２））、印刷サーバ（１１８）、及び１つ以上のＭＦＰ（例えば、ＭＦＰＱ（１２０）、ＭＦＲＲ（１１９））を含む。また、図１に示すように、印刷サーバ（１１８）及びモバイルデバイスＭ（１０２）は、ネットワークＡ（１１２）によって動作可能に接続され、印刷サーバ（１１８）及びＭＦＰＱ（１２０）はネットワークＢ（１１４）によって動作可能に接続される。図１の構成要素（１０１、１０２、１１２、１１４、１１８、１１９、１２０）について、以下に詳細に説明する。
【００１５】
本発明の１つ以上の実施形態において、モバイルデバイスＭ（１０２）は、ユーザアプリケーション（１０４）を実行する。従って、モバイルデバイスＭ（１０２）は、スマートフォン、パーソナルデジタルアシスタント（ＰＤＡ）、タブレット、ラップトップコンピュータ、ｅリーダーなどであり得る。さらに、モバイルデバイスＮ（１０１）は、モバイルデバイスＭ（１０２）と実質的に同じアーキテクチャ及び機能を有する。ユーザアプリケーション（１０４）は、ユーザによって操作されるソフトウェアアプリケーションであり、任意のページ数のＥＤ（例えば、電子文書（１０６））の入手、入力、生成、表示及び／又は印刷を行うように構成される。そのため、ユーザアプリケーション（１０４）は、ワードプロセッサ、スライドプレゼンテーションソフトウェア、表計算ソフトウェア、グラフィックスソフトウェア、ビデオエディタ、インターネットブラウザなどであり得る。ＥＤ（１０６）は、レポート又はフォームであり得、例えば、ポータブルドキュメントフォーマット（ＰＤＦ）及びオフィスオープンＸＭＬ（ＯＯＸＭＬ）といった、任意のフォーマットで保存することができる。
【００１６】
本発明の１つ以上の実施形態において、モバイルデバイスＭ（１０２）は、印刷ジョブを生成するように構成される。印刷ジョブは、ＥＤ（１０６）を印刷せよとの要求がモバイルデバイスＭ（１０２）のユーザから来たときのに応答して生成され得る。詳細には、モバイルデバイスＭ（１０２）は、ＥＤ（１０６）中のデータを１つ以上の多様な印刷スキームに従って変換／パッケージングするためのソフトウェアを含む（例えば、印刷ドライバ（図示せず））。
【００１７】
例えば、ページ記述言語（ＰＤＬ）印刷スキームの場合、モバイルデバイスＭ（１０２）は、印刷ジョブを生成する。前記印刷ジョブは、ＥＤ（１０６）のコンテンツに基づいてＰＤＬで記述される。ＰＤＬコマンド／命令は、ＥＤ（１０６）を印刷対象として記述する多様な印刷オブジェクト（例えば、テキストオブジェクト、グラフィックオブジェクト、画像オブジェクト）及び制御オブジェクト（例えば、ブレンドコマンド及びトランスペアレンシーコマンド、色管理情報）を含む。その後、前記ＭＦＰ（例えば、ＭＦＰＱ（１２０））は、ページ画像を生成するためのＰＤＬコマンド／命令を解釈し得る（すなわち、前記ＭＦＰは、前記オブジェクトをラスタライズし得る）。その後、前記ＭＦＰは、ページ画像に基づいてＥＤ（１０６）のハードコピーを印刷する。
【００１８】
別の例において、ラスター印刷の場合、モバイルデバイスＭ（１０２）は、ＥＤ（１０６）及び印刷オプションのコンテンツに基づいて、ページ画像（すなわち、例えば、ビットマップデータといったラスタライズ画像データ）を生成する。その後、前記ＭＦＰ（例えば、ＭＦＰＱ（１２０）、ＭＦＰＲ（１１９））は、前記ページ画像からＥＤ（１０６）のハードコピーを印刷し得る。
【００１９】
さらに別の例として、モバイルデバイスＭ（１０２）によって生成された印刷ジョブは、文書マークアップ言語（例えば、ＯＯＸＭＬ）を用いて記述／表現されたＥＤ（１０６）を含み得る。。従って、ＥＤ（１０６）のオブジェクト（例えば、テキスト文字、記号、グラフィカルオブジェクト）及び特性（例えば、スペーシング、フォント、フォントサイズ）を文書マークアップ言語のタグ内の属性として記録することができる。その後、前記ＭＦＰ（例えば、ＭＦＰＱ（１２０）、ＭＦＰＲ（１１９））は、前記属性／タグに基づいて、全オブジェクトのページ位置を計算することができる。すなわち、前記ＭＦＰは、ＥＤ（１０６）のハードコピーを印刷するためのＥＤ（１０６）のレイアウトを実行する。
【００２０】
本発明の１つ以上の実施形態において、モバイルデバイスＭ（１０２）は、印刷ジョブのＵＩＤを生成するように構成される。ＵＩＤは、ＥＤ（１０６）のファイル名、ＥＤ（１０６）の著者、ＥＤ（１０６）のサイズ、モバイルデバイスＭ（１０２）の識別情報又はモバイルデバイスＭ（１０２）のユーザ、ＥＤ（１０６）が生成された日付／時間を記録するための生成タイムスタンプ、及び／又は印刷ジョブが生成された日付／時間を記録するための生成タイムスタンプを含み得る。前記ＵＩＤは、任意のアルゴリズム（例えば、モバイルデバイスＭ（１０２）のメディアアクセス制御（ＭＡＣ）アドレスに基づいたアルゴリズム）を用いて生成された任意のサイズのグローバル一意識別子（ＧＵＩＤ）も含み得る。前記印刷ジョブは、前記ＵＩＤを含み得る。例えば、前記ＵＩＤは、前記印刷ジョブの印刷チケット内に記録され得る。
【００２１】
本発明の１つ以上の実施形態において、モバイルデバイスＭ（１０２）は、ネットワークＡ（１１２）を用いて印刷ジョブをＵＩＤと共に印刷サーバ（１１８）へと送信（すなわち、伝送）するように構成される。あるいは、前記印刷ジョブ及び前記ＵＩＤは、ネットワークＡ（１１２）を用いて別個に印刷サーバ（１１８）へと送信（すなわち、伝送）され得る。ネットワークＡ（１１２）は、任意のサイズのネットワーク（例えば、ローカルエリアネットワーク（ＬＡＮ）、広域ネットワーク（ＷＡＮ））、ならびに無線セグメント及び／又は有線セグメントを有する任意の種類（例えば、セルラーネットワーク、公的無線ネットワーク、セキュアなネットワーク、非セキュアなネットワーク）であり得る。
【００２２】
本発明の１つ以上の実施形態において、モバイルデバイスＭ（１０２）は、前記ＵＩＤを含むグラフィカルコードを生成するように構成される。前記グラフィカルコードは、１Ｄバーコード、２Ｄコード（例えば、クイックレスポンスコード（ＱＲコード）（登録商標、以下同じ））、データグリフなどに対応し得る。前記グラフィカルコードは、暗号化されたＵＩＤを含み得る。モバイルデバイスＭ（１０２）は、モバイルデバイスＭ（１０２）の画面（１１０）上にグラフィカルコードを表示し得る。
【００２３】
本発明の１つ以上の実施形態において、ＭＦＰＱ（１２０）は、複数のデバイスの機能（例えば、プリンタ、スキャナ、コピー機、ファックス装置及び／又はｅメールデバイス）を統合した機器である。ＭＦＰＲ（１１９）は、ＭＦＰＲ（１１９）が異なるネットワーク（図示せず）を用いて印刷サーバへと接続されている点を除いて、ＭＦＰＱ（１２０）と実質的に同じアーキテクチャ及び機能を有する。ＭＦＰＱ（１２０）は、クラウド印刷モードで動作し得る。クラウド印刷モードが（例えば、モバイルデバイスＭ（１０２）のユーザによって）呼び出されると、ＭＦＰＱ（１２０）のスキャナ（１２２）を用いてグラフィカルコードの画像を入手することが可能となる。詳細には、画面（１１０）上にグラフィカルコードが表示されている状態で、モバイルデバイスＭ（１０２）の画面（１１０）をスキャナ（１２２）の感知可能距離において保持／押圧する。ＭＦＰＱ（１２０）は、前記画像からＵＩＤを抽出及びさらには復号化し得るように構成される。
【００２４】
本発明の実施形態においては、スキャナ（１２２）からの画像及びグラフィカルコードの入手に焦点を当てているが、当業者であれば、この詳細な記載を読めば、ＭＦＰＱ（１２０）は画像を多様な手段を通じて得ることができることを理解する。例えば、モバイルデバイスＭ（１０２）は、画像をＭＦＰＱ（１２０）へと（例えば、赤外線又はブルートゥースを介して）無線送信する送ることができる。別の例として、ＭＦＰＱ（１２０）は、ＭＦＰＱ（１２０）に挿入された携帯記憶デバイス（例えば、ユニバーサルシリアルバスフラッシュドライブ）から画像を入手し得る。さらに別の例として、ＭＦＰＱ（１２０）は、ウェブサイトから画像をダウンロードし得る。
【００２５】
本発明の１つ以上の実施形態において、ＭＦＰＱ（１２０）は、ネットワークＢ（１１４）を用いてＵＩＤを印刷サーバ（１１８）へと送信（すなわち、伝送）するように構成される。詳細には、前記ＵＩＤは、前記ＵＩＤに対応する印刷ジョブについて、ＭＦＰＱ（１２０）によって生成された要求属性又はフィールドとして生成され得る。前記要求は、ＭＦＰＱ（１２０）と、ＭＦＰＱ（１２０）によってサポートされた１つ以上の印刷スキームとを特定し得る。さらに、ネットワークＢ（１１４）は、任意のサイズであり得る（例えば、ローカルエリアネットワーク（ＬＡＮ）、広域ネットワーク（ＷＡＮ））、また、無線セグメント及び／又は有線セグメントを有する任意の種類のネットワークであり得る（例えば、プライベートネットワーク、エンタープライズセキュアネットワーク）。要求及び任意の応答は、ネットワークＢ（１１４）上に配置されたセキュリティプロトコル（ただし、そのようなプロトコルが存在する場合）と適合し得る。
【００２６】
本発明の１つ以上の実施形態において、ＭＦＰＱ（１２０）は、ＵＩＤに対応する印刷ジョブをネットワークＢ（１１４）を用いて印刷サーバ（１１８）から受信するように構成される。前記印刷ジョブは、前記ＵＩＤが印刷サーバ（１１８）へと送信されるのに応答して、受信され得る。また、ＭＦＰＱ（１２０）は、印刷サーバ（１１８）から受信された印刷ジョブからＥＤ（１０６）のハードコピー（１２４）を印刷するように構成される。詳細には、ＰＤＬ印刷スキームの場合、ＭＦＰＱ（１２０）は、ページ画像を生成するために、入来ＰＤＬコマンドを解釈し得る（すなわち、ＭＦＰＱ（１２０）は、オブジェクトをラスタライズする）。文書マークアップ言語（例えば、ＯＯＸＭＬ）を用いて記述／表現されたＥＤに印刷ジョブが関連する場合、ＭＦＰＱ（１２０）は、ＥＤ（１０６）内の全要素のページ位置を計算し得る（すなわち、レイアウトを行い得る）。
【００２７】
本発明の１つ以上の実施形態において、印刷サーバ（１１８）は、１つ以上のモバイルデバイス（例えば、モバイルデバイスＮ（１０１）、モバイルデバイスＭ（１０２））から受信された１つ以上の印刷ジョブを記憶するように構成されたクラウド印刷サーバである。さらに、印刷サーバ（１１８）は、１つ以上の印刷ジョブを１つ以上のＭＦＰ（例えば、ＭＦＰＱ（１２０）、ＭＦＰＲ（１１９））へと送信（すなわち、伝送）するように構成される。詳細には、印刷サーバ（１１８）内に記憶された各印刷ジョブは、ＵＩＤに対応する。前記ＵＩＤを印刷ジョブ内に記録しかつ／又は前記ＵＩＤを印刷ジョブと別個に印刷サーバ（１１８）に記憶することができる。印刷サーバ（１１８）は、受信されたＵＩＤ（例えば、ＭＦＰＱ（１２０）からの要求中のＵＩＤ）又は前記受信されたＵＩＤの一部と、１つ以上の記憶された印刷ジョブに対応する１つ以上の記憶されたＵＩＤとを比較するように構成され得る。一致が発見された場合、ＭＦＰＱ（１２０）は、前記対応する印刷ジョブを要求元ＭＦＰ（例えば、ＭＦＰＱ（１２０））へと送るように構成され得る。
【００２８】
本発明の１つ以上の実施形態において、印刷サーバ（１１８）は、要求元ＭＦＰ（例えば、ＭＦＰＱ（１２０））によってサポートされる印刷スキームに適合するように印刷ジョブを変更した後、当該印刷ジョブを前記要求元ＭＦＰへと送るように構成される。例えば、印刷サーバ（１１８）内に記憶されている印刷ジョブ中に文書マークアップ言語（例えば、ＯＯＸＭＬ）を用いて記述／表現されたＥＤが含まれておりかつ、要求元ＭＦＰＱ（１２０）によってサポートされている印刷スキームがＰＤＬ印刷スキームのみである場合、印刷サーバ（１１８）は、複数のＰＤＬコマンド／命令（例えば、多様な印刷オブジェクト（例えば、テキストオブジェクト、グラフィックオブジェクト、画像オブジェクト）及び制御オブジェクト（例えば、ブレンドコマンド及びトランスペアレンシーコマンド、色管理情報））を文書マークアップ言語を用いて記述／表現されたＥＤから生成し得る。上述したように、印刷サーバ（１１８）によって受信された要求は、要求元ＭＦＰによってサポートされている印刷スキーム（単数又は複数）を特定し得る。あるいは、印刷サーバ（１１８）は、多様なＭＦＰによってサポートされている印刷スキーム（単数又は複数）を記録しているルックアップテーブル又はディレクトリを含み得る。
【００２９】
本発明の１つ以上の実施形態において、印刷サーバ（１１８）は、１つ以上の印刷アカウントを管理する。各印刷アカウントは、モバイルデバイス（例えば、モバイルデバイスＮ（１０１）、モバイルデバイスＭ（１０２））、モバイルデバイス（１０１、１０２）のユーザ、又はＭＦＰ（例えば、ＭＦＰＱ（１２０）、ＭＦＰＲ（１１９））などに対応し得る。さらに、各印刷アカウントは、当該印刷アカウントの所有エンティティのために、印刷統計値（すなわち、提出された印刷ジョブ数、印刷された印刷ジョブ数、印刷されたページ数、印刷された色ページ数、印刷ジョブコスト）を追跡し得る。そのため、印刷サーバ（１１８）印刷ジョブをモバイルデバイス（例えば、モバイルデバイスＮ（１０１）、モバイルデバイスＭ（１０２））から受信しかつ／又は印刷ジョブを１つ以上のＭＦＰ（１１９、１２０）へと送信すると、印刷統計値が変更／改変される。
【００３０】
本発明の１つ以上の実施形態において、モバイルデバイスＭ（１０２）は、印刷サーバ（１１８）上の印刷ジョブ（例えば、モバイルデバイスＭ（１０２）から発生していない印刷ジョブ（すなわち、モバイルデバイスＭ（１０２）から送られてきていない印刷ジョブ））と関連付けられたＥＤの識別情報を記憶する。モバイルデバイスＭ（１０２）はまた、印刷サーバ（１１８）上に記憶された印刷ジョブに対応するＵＩＤを記憶する。そのため、モバイルデバイスＭ（１０２）のユーザは、１つ以上のＥＤを選択することができ、グラフィカルコードを対応するＵＩＤと共にモバイルデバイスＭ（１０２）上に表示することができる。しかし、モバイルデバイスＭ（１０２）は、この選択に応答して前記印刷ジョブを印刷サーバ（１１８）に伝送する必要はない（すなわち、前記印刷ジョブは既に印刷サーバ（１１８）上に記憶されている）。
【００３１】
図２は、本発明の１つ以上の実施形態によるフローチャートを示す。図２に示すプロセスを例えばシステム（１００）の構成要素（例えば、図１を参照して上述したモバイルデバイスＭ（１０２）、ＭＦＰＱ（１２０）、印刷サーバ（１１８））と共に用いることで、ＥＤと関連付けられた印刷ジョブを印刷／管理することができる。図２に示す１つ以上のステップは、本発明の異なる実施形態と異なる順序で反復及び／又は実行され得る。よって、本発明の実施形態は、図２に示す特定の数及び構成のステップに限定されるものとみなされるべきではない。
【００３２】
先ず、印刷ジョブに対応するＵＩＤがモバイルデバイスによって生成される（ステップ２０２）。上述したように、前記ＵＩＤは、ＥＤのファイル名、前記ＥＤの著者、前記ＥＤのサイズ、モバイルデバイス又は前記モバイルデバイスのユーザの特定情報、前記ＥＤが生成された日付／時間を記録する生成タイムスタンプ、及び／又は印刷ジョブが生成された日付／時間を記録する生成タイムスタンプを含み得る。また、前記ＵＩＤは、任意のアルゴリズム（例えば、モバイルデバイスのメディアアクセス制御（ＭＡＣ）アドレスに基づいたアルゴリズム）を用いて生成された任意のサイズのＧＵＩＤも含み得る。前記印刷ジョブは、前記ＵＩＤを含み得る。例えば、前記ＵＩＤは、前記印刷ジョブの印刷チケット内に記録され得る。
【００３３】
ステップ２０４において、前記印刷ジョブ及びＵＩＤは、ネットワーク（すなわち、ネットワークＸ）を経由して前記モバイルデバイスから印刷サーバへと送られる。上述したように、前記印刷ジョブは、１つ以上の印刷スキーム（例えば、ページ記述子言語（ＰＤＬ）印刷スキーム、ラスター印刷、文書マークアップ言語（例えば、ＯＯＸＭＬ）を用いてＥＤを記述／表現するための印刷スキーム）と適合し得る。また、上述したように、前記ネットワーク（すなわち、ネットワークＸ）は、任意のサイズであり得（例えば、ローカルエリアネットワーク（ＬＡＮ）、広域ネットワーク（ＷＡＮ））、また、無線セグメント及び／又は有線セグメントを有する任意の種類であり得る（例えば、セルラーネットワーク、公的無線ネットワーク、セキュアなネットワーク、非セキュアなネットワーク）。しかし、前記モバイルデバイスのユーザは、前記印刷ジョブのためのプリンタ又はＭＦＰを指定する必要は無い。換言すれば、前記印刷ジョブ又は前記ＵＩＤのいずれも、プリンタ又はＭＦＰを特定しない。
【００３４】
ステップ２０６において、前記ＵＩＤを有するグラフィカルコードが前記モバイルデバイスによって生成され、前記モバイルデバイスの画面上に表示される。上述したように、前記グラフィカルコードは、１Ｄバーコード、２Ｄコード（例えば、ＱＲコード）、データグリフなどに対応し得る。ステップ２０８において、グラフィカルコードを表示しているモバイルデバイスの表示画面を走査することにより、前記グラフィカルコードを有する画像を入手する。詳細には、スキャナ付きＭＦＰによって前記画像を入手し、前記モバイルデバイス上に前記グラフィカルコードが表示されている状態で前記モバイルデバイスを前記スキャナに向かってかざす。
【００３５】
ステップ２１０において、前記ＵＩＤを前記画像から抽出し、ＭＦＰは前記ＵＩＤをネットワーク（ネットワークＹ）を介して前記印刷サーバへと送信する（すなわち、伝送する）。本発明の１つ以上の実施形態において、前記ＭＦＰを先ずクラウド印刷モードにした（例えば、前記モバイルデバイスのユーザが前記ＭＦＰを呼び出した）後、前記ＵＩＤを前記画像から抽出し、前記印刷サーバへと送る必要がある。本発明の１つ以上の実施形態において、ＵＩＤは、前記ＭＦＰによって生成された要求中の属性又はフィールドであり、ネットワーク（すなわち、ネットワークＹ）を介して前記印刷サーバへと送られる。前記要求は、前記ＭＦＰ及び／又は前記ＭＦＰによってサポートされる印刷スキーム（単数又は複数）を特定し得る。さらに、ネットワークＹは任意のサイズであり得（例えば、ローカルエリアネットワーク（ＬＡＮ）、広域ネットワーク（ＷＡＮ））、また、無線セグメント及び／又は有線セグメントを有する任意の種類であり得る（例えば、プライベートネットワーク、エンタープライズセキュアネットワーク）。前記要求及び任意の応答は、ネットワークＹ上に設定されたセキュリティプロトコルと適合し得る（ただし、そのようなプロトコルがある場合）。当業者であれば、この詳細な記載を読めば、ネットワークＸ及びネットワークＹは別個のネットワークであり、例えば所有者が異なり、セキュリティ方針が異なり、また伝送スキームも異なることを理解する。
【００３６】
ステップ２１２において、前記印刷サーバは、前記ＭＦＰからのＵＩＤを含む要求を受信し、前記ＵＩＤに対応する印刷サーバ上に記憶された印刷ジョブを特定する。換言すれば、前記印刷サーバは、前記ＭＦＰから受信されたＵＩＤと、前記印刷サーバ上に記憶された印刷ジョブとを比較して一致を決定することができる。また、前記印刷サーバは、前記要求から／前記要求に基づいて、前記ＭＦＰの識別情報及び前記ＭＦＰによってサポートされた印刷スキーム（単数又は複数）を特定することもできる。
【００３７】
本発明の１つ以上の実施形態において、ステップ２０６、２０８及び／又は２１０は、ステップ２０４の前に実行される。換言すれば、前記グラフィカルコードを有する画像を前記ＭＦＰによって入手した後、前記印刷ジョブ及び前記ＵＩＤが前記印刷サーバへと送られる。さらに、前記ＵＩＤを前記ＭＦＰによって前記画像から抽出した後、前記印刷ジョブ及び前記ＵＩＤを前記モバイルデバイスから前記印刷サーバへと送ってもよい。さらに、前記ＵＩＤを前記ＭＦＰから前記印刷サーバへと送った後、前記印刷ジョブ及びＵＩＤを前記モバイルデバイスから前記印刷サーバへと送ってもよい。このような実施形態において、前記印刷サーバは、前記ＭＦＰから受信されたＵＩＤをバッファし、前記バッファされたＵＩＤと、前記モバイルデバイスから後で受信されたＵＩＤとを比較する。
【００３８】
ステップ２１４において、前記印刷サーバは、必要であれば前記ＵＩＤに対応する印刷ジョブを前記ＭＦＰによってサポートされる印刷スキームと適合するように変更し、ネットワークＹを介して前記（変更された）印刷ジョブを前記ＭＦＰへと送る。例えば、前記印刷サーバ中に記憶されている印刷ジョブ中に文書マークアップ言語（例えば、ＯＯＸＭＬ）を用いて記述／表現されたＥＤが含まれておりかつ前記要求元ＭＦＰによってサポートされている印刷スキームがＰＤＬ印刷スキームのみである場合、前記印刷サーバは、複数のＰＤＬコマンド／命令（例えば、多様な印刷オブジェクト（例えば、テキストオブジェクト、グラフィックオブジェクト、画像オブジェクト）及び制御オブジェクト（例えば、ブレンドコマンド及びトランスペアレンシーコマンド、色管理情報））を前記文書マークアップ言語を用いて記述／表現されたＥＤから生成し得る。上述したように、前記印刷サーバによって受信された要求は、前記要求元ＭＦＰによってサポートされている印刷スキーム（単数又は複数）を特定し得る。あるいは、前記印刷サーバは、多様なＭＦＰによってサポートされた印刷スキーム（単数又は複数）を記録したルックアップテーブル又はディレクトリを含み得る。
【００３９】
ステップ２１６において、前記ＭＦＰは、前記印刷サーバから印刷ジョブの受信に応答して、前記ＥＤのハードコピーを印刷する。ＰＤＬ印刷スキームの場合、ＭＦＰＱ（１２０）は、ページ画像を生成するために入来ＰＤＬコマンドを解釈し得る（すなわち、前記ＭＦＰは、前記オブジェクトをラスタライズする）。文書マークアップ言語（例えば、ＯＯＸＭＬ）を用いて記述／表現されたＥＤが印刷ジョブにおいて用いられている場合、前記ＭＦＰは、前記ＥＤ内の全要素のページ位置を計算し得る（すなわち、レイアウトを行い得る）。
【００４０】
図３は、本発明の１つ以上の実施形態による一例を示す。図３に示すように、スマートフォン（３０２）と、クラウド（３９９）内の印刷サーバ（３１８）と、ＭＦＰ（３３０）とが設けられている。スマートフォン（３０２）及び印刷サーバ（３１８）は、セルラーネットワーク（３０５）によって動作可能に接続される。同様に、ＭＦＰ（３３０）及び印刷サーバ（３１８）は、エンタープライズセキュアネットワーク（３２０）によって動作可能に接続される。
【００４１】
図３において、スマートフォン（３０２）のユーザ（３５０）は、「ｍｙＤｏｃｕｍｅｎｔ．ｄｏｃｘ」という名称のＥＤをクラウド印刷機能を用いて印刷せよと要求している。換言すれば、ユーザ（３５０）は前記ＥＤを印刷せよと要求しているが、ユーザ（３５０）は、前記ＥＤの印刷に用いられるべきプリンタ又はＭＦＰを指定していない。よって、スマートフォン（３０２）は、前記ＥＤのための印刷ジョブと、前記印刷ジョブのためのＵＩＤ（例えば、前記ＥＤの名称（すなわち、ｍｙＤｏｃｕｍｅｎｔ．ｄｏｃｘ））と、前記印刷ジョブの生成タイムスタンプ（すなわち、２０１５年５月７日）と、スマートフォン（３０２）のＭＡＣアドレスに基づいたＧＵＩＤ（すなわち、８６９４０３７７２８）とを生成する。前記印刷ジョブ及びＵＩＤ（３０４）は、セルラーネットワーク（３０５）を介して印刷サーバ（３１８）へと送られ、印刷サーバ（３１８）上に記憶される。前記ＵＩＤの生成に応答して、スマートフォン（３０２）は、前記ＵＩＤを含むＱＲコード（３０３）も生成し、前記ＱＲコードをスマートフォン（３０２）の画面上に表示する。
【００４２】
さらに図３を参照して、ユーザ（３５０）は、（例えば、ＭＦＰ（３３０）の制御パネル／ボタンを用いて）ＭＦＰ（３３０）のクラウド印刷モードを呼び出し、スマートフォン（３０２）の画面をＭＦＰ（３３０）のスキャナに向かってかざす。ＭＦＰ（３３０）は、ＱＲコードを表示しているスマートフォン（３０２）を走査することにより、前記ＱＲコードを有する画面を入手する。その後、ＭＦＰ（３３０）は、前記ＵＩＤを前記画像から抽出し、抽出されたＵＩＤ（３２２）を印刷サーバ（３１８）へと送る。詳細には、抽出されたＵＩＤ（３２２）は、要求の属性又はフィールドとしてエンタープライズセキュアネットワーク（３２０）を介して印刷サーバ（３１８）へと送られる。印刷サーバ（３１８）は、ＭＦＰ（３３０）から受信された抽出されたＵＩＤ（３２２）と、印刷サーバ（３１８）上に記憶された印刷ジョブのＵＩＤとを比較する。抽出されたＵＩＤ（３２２）が印刷ジョブ（３０４）のＵＩＤに一致した場合、印刷ジョブ（３０４）はエンタープライズセキュアネットワーク（３２０）を介してＭＦＰ（３３０）へと送られる。その後、ＭＦＰ（３３０）は、ＥＤ（３３２）のハードコピーを印刷し得る。
【００４３】
本発明の実施形態は、以下の利点のうち１つ以上を含み得る。すなわち、例えば、セキュアなネットワーク上のＭＦＰは、異なるネットワーク上のモバイルデバイスから印刷ジョブを受容し得る；プリンタを指定せずに印刷ジョブを生成できる能力；印刷ジョブを印刷サーバ上に記憶した後、前記印刷サーバへと動作可能接続された任意のプリンタを用いて前記印刷ジョブを印刷できる能力；モバイルデバイスから生成されたＥＤのＥＤのハードコピーをローカルネットワーク／セキュアなネットワーク上のＭＦＰによって印刷することを可能にしつつ、前記ローカルネットワーク／セキュアなネットワークへの前記モバイルデバイスの接続を制限できる能力；及び／又はＭＦＰが非セキュアなネットワークへ露出されるのを回避できる能力。
【００４４】
本発明の実施形態は、用いられるプラットフォームに関係無く、実質的に任意の種類のコンピュータ上において実行することができる。例えば、図４に示すように、コンピュータシステム（４００）は、１つ以上のプロセッサ（単数又は複数）（４０２）と、関連付けられたメモリ（４０４）（例えば、ランダムアクセスメモリ（ＲＡＭ）、キャッシュメモリ、フラッシュメモリ）と、記憶デバイス（４０６）（例えば、ハードディスク、光学ドライブ（例えば、コンパクトディスクドライブ又はデジタルビデオディスク（ＤＶＤ）ドライブ、フラッシュメモリスティック）と、今日のコンピュータ（図示せず）において典型的に用いられる他の多数の要素及び機能）とを含む。本発明の１つ以上の実施形態において、プロセッサ（４０２）はハードウェアである。例えば、前記プロセッサは、集積回路であり得る。コンピュータシステム（４００）は、入力手段（例えば、キーボード（４０８）、マウス（４１０）、又はマイク（図示せず））も含み得る。さらに、コンピュータシステム（４００）は、出力手段（例えば、モニタ（４１２）（例えば、液晶ディスプレイ（ＬＣＤ）、プラズマディスプレイ、又は陰極線管（ＣＲＴ）モニタ）を含み得る。コンピュータシステム（４００）は、ネットワークインターフェース接続（図示せず）を介してネットワーク（４１４）（例えば、ローカルエリアネットワーク（ＬＡＮ）、広域ネットワーク（ＷＡＮ）（例えば、インターネット）又は他の任意の種類のネットワーク）へと接続され得る。本発明の１つ以上の実施形態において、多くの異なる種類のコンピュータシステムが存在し、前記した入力手段及び出力手段は、他の形態をとり得る。一般的に、コンピュータシステム（４００）は、本発明の実施形態を行うために必要な少なくとも最小の処理、入力手段及び／又は出力手段を含む。．
【００４５】
さらに、本発明の１つ以上の実施形態において、前記したコンピュータシステム（４００）の１つ以上の要素は、遠隔位置に配置され得、ネットワークを介してその他の要素へと接続され得る。さらに、本発明の実施形態は、複数のノードを有する分散システム上において実行され得る。ここで、本発明の各部（例えば、コンピューティングデバイス、前記複合プリンタ）は、前記分散システム内の異なるノード上に配置され得る。本発明の一実施形態において、前記ノードは、コンピュータシステムに対応する。あるいは、前記ノードは、物理的メモリを備えたプロセッサに対応し得る。前記ノードは、プロセッサ又は共有メモリ及び／又はリソースを備えたプロセッサのマイクロコアにも対応し得る。さらに、本発明の実施形態を実行するための、コンピュータで読み出し可能なプログラムコードの形態のソフトウェア命令は、固定のコンピュータで読み出し可能な記憶媒体（例えば、コンパクトディスク（ＣＤ）、ディスケット、テープ、メモリ、又は他の任意のコンピュータで読み出し可能な記憶デバイス）上に一時的に又は恒久的に記憶され得る。
【００４６】
本発明について限られた数の実施形態を説明してきたが、当業者であれば、本開示を読めば、本明細書中に開示されるような本発明の範囲から逸脱することなく他の実施形態も可能であることを理解する。よって、本発明の範囲は、添付の特許請求の範囲のみによって限定される。
【図１】
2013093017.tif 000003
【図２】
2013093017.tif 000004
【図３】
2013093017.tif 000005
【図４】
2013093017.tif 000006
【外国語明細書】
2013093017000001.pdf
2013093017000002.pdf
2013093017000003.pdf
2013093017000004.pdf